(57)【特許請求の範囲】
【請求項１】
ペイアウトリンクを介しペイアウトスライドを前後に往復移動させ、硬貨払出時に前記ペイアウトスライドに形成された硬貨収容孔を拡開して該硬貨収容孔内に収容された硬貨を下方へ落下させ、また硬貨非払出時に前記硬貨収容孔を閉塞して硬貨の落下を阻止するチェンジスライドを少なくとも有する硬貨払出装置において、
前記ペイアウトリンクは前記チェンジスライドをその長手方向に沿って収納するチェンジスライド収納孔を有し、
前記チェンジスライドは硬貨払出時にチェンジスライド回動手段を介し前記ペイアウトリンクの移動に連動して回転し、前記ペイアウトリンクのチェンジスライド収納孔内に収納されることを特徴とする硬貨払出装置。
【請求項２】
前記チェンジスライド回動手段は、前記チェンジスライド底面から突設された回転軸と、前記チェンジスライド上面に突設されたカム軸と、前記チェンジスライド収納孔に形成され、前記回転軸を支承する軸受孔と、前記ペイアウトリンクを覆う上カバーに形成され、前記カム軸を案内する円弧状のカム溝からなることを特徴とする請求項(1) 記載の硬貨払出装置。
【発明の詳細な説明】
【０００１】
【発明の属する技術分野】
この発明は、自動販売機、両替機、サービス機器等に使用される硬貨処理装置に関し、特にこのような硬貨処理装置の一部を構成し、金種毎に選別収容された硬貨を釣銭の額に応じて払い出す硬貨払出装置の改良に関する。
【０００２】
【従来の技術】
従来から、自動販売機、両替機、サービス機器等内には、投入硬貨の正偽を判別するとともに、正貨と見なされた投入硬貨を金種毎に選別収容し、さらに選別収容された硬貨を釣銭の額に応じて払い出す硬貨処理装置が配設されている。
【０００３】
この硬貨処理装置は、大別して以下に示す３つの要素から構成されている。
【０００４】
その第１は、投入硬貨の正偽を判別し、かつ正貨を金種毎に選別する硬貨選別装置である。
【０００５】
第２はこの硬貨選別装置の下方に配設され、当該硬貨選別装置により金種毎に選別された正貨を、それぞれ金種毎に収容する複数のコインチューブからなる硬貨収容装置である。
【０００６】
そして第３は、この硬貨収容装置を構成するコインチューブ内から釣り銭の額に応じた硬貨を選択して払い出す硬貨払出装置である。
【０００７】
このうち、従来の硬貨払出装置１は図１４の要部破断概念斜視図に示す構造をしている。
【０００８】
この硬貨払出装置１は、図示せぬ駆動モータ、およびこの駆動モータの駆動力を伝達する歯車伝動手段等からなるペイアウトカム駆動手段と、このペイアウトカム駆動手段を介し伝達された駆動力により一払出動作ごとに一方向（時計方向）へ一回転する一対のペイアウトカム２、３と、このペイアウトカム２、３の下面に突設されたピン２ａ、３ａと係合する溝４ａ、４ｂを有し、ペイアウトカム２、３が矢印方向（時計方向）へ一回転すると、図の初期位置から矢印Ａの方向へ往復移動するペイアウトリンク４と、このペイアウトリンク４に対し一対のピン４ｃ、４ｄを介し着脱自在に係合し、ペイアウトリンク４の往復運動に追従して矢印Ａ方向へ往復運動するペイアウトスライド５とから構成されている。なお、上述した図示せぬペイアウトカム駆動手段、ペイアウトカム２、３、およびペイアウトリンク４によりペイアウトスライド駆動手段６が構成される。
【０００９】
このペイアウトスライド５には、前述した硬貨収容装置を構成する図示せぬコインチューブの各最下面に収容された硬貨を一枚だけ収容する四つの孔７、８、９、１０がそれぞれ形成されている。なお、この孔７、８、９、１０の下面には、図１４の初期位置において常時はペイアウトスライド５の底面を覆い、各孔７、８、９、１０内に収容された各硬貨の落下を阻止する底板１１が配設されている。なお、この底板１１は前記硬貨収容装置を構成する図示せぬ複数本のコインチューブの底面を構成するものである。
【００１０】
一方、前記ペイアウトリンク４内には、各先端が前記ペイアウトスライド５の対応する各孔７、８、９、１０下面に臨み、当該各孔７、８、９、１０内に一枚ずつ収容された各硬貨の払出と非払出とを制御するチェンジスライド１２、１３、１４、１５が出没自在に嵌挿している。
【００１１】
なお、このチェンジスライド１２、１３、１４、１５には、図１４で示す初期位置からペイアウトリンク４側への移動を規制する図示せぬストッパー手段が配設され、これによりペイアウトリンク４の矢印Ａ方向へのスライド移動とともに、各チェンジスライド１２、１３、１４、１５は後方、即ち後述するチェンジソレノイド１６、１７、１８、１９側への移動は許容されるが図１４の初期位置からペイアウトリンク４側への移動は規制される構造となっている。
【００１２】
上述したチェンジスライド１２、１３、１４、１５うち、チェンジスライド１２の先端１２ａは孔７内に、チェンジスライド１３の先端１３ａは孔８内に、チェンジスライド１４の先端１４ａは孔９内に、またチェンジスライド１５の先端１５ａは孔１０内に臨むように配設されている。
【００１３】
また、この各チェンジスライド１２、１３、１４、１５の各後端１２ｂ、１３ｂ、１４ｂ、１５ｂは、各チェンジスライド１２、１３、１４、１５毎に独立して配設されたチェンジソレノイド１６、１７、１８、１９の各プランジャから構成されたチェンジレバー１６ａ、１７ａ、１８ａ、１９ａと係合し、常時はその移動が規制されている。
【００１４】
上述した、硬貨払出装置部１によると、例えば孔９内に収容された図示せぬ硬貨を一枚払い出す信号が図示せぬ制御装置から入力されると、その払出信号に基き、図示せぬペイアウトカム駆動手段によりペイアウトカム２、３が矢印方向に一回転しペイアウトスライド５を矢印Ａ方向へ往復運動させて、ペイアウトスライド５の各孔７、８、９、１０内に収容された各硬貨を一枚ずつ当該各孔７、８、９、１０の下方から落下させようとするが、その際、図１５で示すように孔９内に収容された硬貨を一枚払い出す信号に基づき、チェンジスライド１４の後端１４ｂの動きを規制するチェンジソレノイド１８のチェンジレバー１８ａのみが作動して矢印Ｂのように上動し、チェンジレバー１８ａとチェンジスライド後端１４ｂとの係合を解除する。
【００１５】
するとペイアウトカム２、３の図示を省略した図１６で示すように、チェンジスライド１４のみがペイアウトリンク４の矢印Ａ方向への移動に連動して後方へスライド移動し、これにより孔９の底面の開放を維持して、当該孔９内に収容された硬貨を孔９の下方へ落下して払い出す。
【００１６】
なお図１６で示すように、他のチェンジスライド１２、１３、１５は、その後端１２ｂ、１３ｂ、１５ｂが各チェンジレバー１６ａ、１７ａ、１９ａによりその動きが規制されているのでペイアウトリンク４の移動量に応じて各チェンジスライド先端１２ａ、１３ａ、１５ａが対応する各孔７、８、１０の底面内に侵入するので、その各孔７、８、１０の底面は解放されず、よってこの孔７、８、１０内に収容された硬貨はペイアウトスライド５が矢印Ａ方向へ往復運動しても各孔７、８、１０の底面から落下して払い出されることはない。
【００１７】
すなわち、上述した硬貨払出装置１では、払い出す硬貨に対応したチェンジレバー１６ａ、１７ａ、１８ａ、１９ａを作動（上動）させて、払い出す硬貨に対応したチェンジスライド１２、１３、１４、１５の移動規制を解除すれば、その硬貨を払い出すことができるように構成されている。勿論同一種類の硬貨を複数枚払い出す場合は、その払出硬貨に対応するチェンジソレノイドのチェンジレバーを作動（上動）させてそのチェンジスライドの規制を解除し、その後、その払出枚数分だけペイアウトスライド５を往復運動させればよく、また複数種類の硬貨を同時に払い出す場合は、その複数種類の硬貨に対応する複数のチェンジソレノイドのチェンジレバーを同時に作動（上動）させて、払い出す複数種類の硬貨に対応したチェンジスライドの規制を解除すれば、その複数種類の硬貨を同時に払い出すことができることとなる。
【００１８】
一方、上述した硬貨払出装置１を、例えば硬貨の径、および種類が異なる世界各国で適用する場合は、硬貨払出装置１ができるだけ多くの種類の硬貨を払い出す機能を有することが望ましい。
【００１９】
そこで、上述した従来の硬貨払出装置１に、もう一種類、別の種類の大径の硬貨の払出機能を加えたものが考えられる。
【００２０】
図１７は本願出願人が、図１４に示す従来の硬貨払出装置１の基本的構造を採用して、もう一種類、別の大径の硬貨の払出機能を加え、合計５種類の硬貨の払出機能を具えた硬貨払出装置２０を示す要部概念斜視図で、図１４と同一部分を同一符号で示す。
【００２１】
この硬貨払出装置２０では、ペイアウトリンク４、ペイアウトスライド５、および底板１１の図面左側方をそれぞれ延長して、そこに前記チェンジスライド１２、１３、１４、１５と同一構造のチエンジスライド２１を配設するとともに、延長されたペイアウトスライド５には別の大径の硬貨を一枚収容する孔２２を形成する。
【００２２】
そして、チエンジスライド２１の後端２１ｂに、前記チェンジソレノイド１６、１７、１８、１９と同様のチェンジソレノイド２３を配設して、そのプランジャにより構成されたチェンジレバー２３ａをチェンジスライド２１の後端２１ｂに係合させる。
【００２３】
このような硬貨払出装置２０によると、孔２２内に収容された大径の硬貨を一枚払い出す信号が図示せぬ制御装置から入力されると、その払出信号に基き、図示せぬペイアウトカム駆動手段によりペイアウトカム２、３が矢印方向に一回転しペイアウトスライド５を矢印Ａ方向へ往復運動させて、ペイアウトスライド５の各孔７、８、９、１０、２２内に収容された各硬貨を一枚ずつ当該各孔７、８、９、１０、２２の下方から落下させようとするが、その際、図１８で示すように孔２２内に収容された硬貨を一枚払い出す信号に基づき、チェンジスライド２１の後端２１ｂの動きを規制するチェンジソレノイド２３のチェンジレバー２３ａのみが作動して矢印Ｂのように上動し、チェンジスライド後端２１ｂとの係合を解除する。
【００２４】
するとペイアウトカム２、３の図示を省略した図１９で示すように、チェンジスライド２１のみがペイアウトリンク４の矢印Ａ方向に沿った移動に追従して後方へスライド移動し、これにより孔２２の底面の開放を維持して、当該孔２２内に収容された硬貨を孔２２の下方へ落下して払い出すこととなる。
【００２５】
したがって、上述した従来の硬貨払出装置１の基本的払出構造を採用しても５種類以上の硬貨を払い出すことができる。
【００２６】
【発明が解決しようとする課題】
ところで、上述した硬貨払出装置１、２０を装着した硬貨処理装置は、自動販売機等の機器内の限られたスペース内に装着することから、予めその全体のサイズが厳格に管理されており、特に図１６で示すように、硬貨払出時におけるチェンジスライド１４の往復移動距離を含め硬貨払出装置１の正面から背面までの奥行方向の長さＬは厳密に規定されている。
【００２７】
ところが、できるだけ多くの種類の硬貨を払い出すべく、図１４の従来構造を採用して図１７で示すような例えば別の大径の硬貨の払出機能を付加した硬貨払出装置２０によると、その大径の硬貨を払い出すため、図１９で示すように、チェンジスライド２１の往復移動距離を含め硬貨払出装置２０の正面から背面までの奥行方向の長さＬ´が極めて大きく（Ｌ´＞Ｌ）なって、自動販売機等の機器内の限られたスペース内にこのような硬貨払出装置２０を装着した硬貨処理装置を配設することができなくなる虞がある。
【００２８】
この発明は、上述した事情に鑑み、奥行方向の長さを可及的に短くした硬貨払出装置を提供することを目的とする。
【００２９】
【課題を解決するための手段】
上述した課題を解決するため、この発明では、ペイアウトリンクを介しペイアウトスライドを前後に往復移動させ、硬貨払出時に前記ペイアウトスライドに形成された硬貨収容孔を拡開して該硬貨収容孔内に収容された硬貨を下方へ落下させ、また硬貨非払出時に前記硬貨収容孔を閉塞して硬貨の落下を阻止するチェンジスライドを少なくとも有する硬貨払出装置において、前記ペイアウトリンクは前記チェンジスライドをその長手方向に沿って収納するチェンジスライド収納孔を有し、前記チェンジスライドは硬貨払出時にチェンジスライド回動手段を介し前記ペイアウトリンクの移動に連動して回転し、前記ペイアウトリンクのチェンジスライド収納孔内に収納されるようにしている。
【００３０】
【発明の実施の形態】
以下、この発明に係わる硬貨払出装置の一実施例を詳述する。
【００３１】
図１はこの発明に係わる硬貨払出装置３０の概念斜視図で、図１４および図１７と同一部分を同一符号で示す。
【００３２】
この硬貨払出装置３０でも、ペイアウトリンク４、ペイアウトスライド５、および底板１１の図面左側方は別の種類の大径の硬貨を払い出すためにそれぞれ延長されており、ペイアウトスライド５の延長部分５ａには大径の硬貨を一枚収容する孔２２が形成され、またペイアウトリンク４の延長部分４ｅには孔２２と対応するチェンジスライド３１をその長手方向に沿って収納可能なチェンジスライド収納孔４ｆが形成されている。
【００３３】
一方、上述したチェンジスライド３１、チェンジスライド収納孔４ｆ、およびペイアウトリンク４の上面を覆う後述する上カバーには、硬貨払出時に前記ペイアウトリンク４の移動に連動して前記チェンジスライド３１を回動させる、後述するチェンジスライド回動手段がそれぞれ形成されている。
【００３４】
このような、硬貨払出装置３０によると、孔２２内に収容された図示せぬ大径の硬貨を一枚払い出す信号が図示せぬ制御装置から入力されると、その払出信号に基き、図示せぬペイアウトカム駆動手段によりペイアウトカム２、３が矢印方向に一回転してペイアウトリンク４を介しペイアウトスライド５を矢印Ａ方向へ往復運動させ、これによりペイアウトスライド５の各孔７、８、９、１０、２２内に収容された各硬貨を一枚ずつ当該各孔７、８、９、１０、２２の下方から落下させて払出そうとする。
【００３５】
その際、図２で示すように孔２２内に収容された硬貨を一枚払い出す信号に基づき、チェンジスライド３１の後端３１ｂの動きを規制するチェンジソレノイド２３のチェンジレバー２３ａのみが作動して矢印Ｂのように上動し、チェンジスライド後端３１ｂとの係合を解除する。
【００３６】
するとペイアウトカム２、３の図示を省略した図３で示すように、チェンジスライド３１のみがペイアウトリンク４の移動に追従して後述する回転軸を中心に一方向へ回転し、これによりチェンジスライド３１がその長手方向に沿ってペイアウトリンク４の前記チェンジスライド収納孔４ｆ内に収納される。
【００３７】
これにより孔２２の底面の開放は維持されるので、当該孔２２内に収容された硬貨は孔２２の下方へ落下し、払い出されることとなる。
【００３８】
なお、孔２２内に収容された大径の硬貨の非払出時には、図４で示すように、チェンジスライド３１の後端３１ｂとチェンジソレノイド２３のチェンジレバー２３ａとの係合が維持されて、チェンジスライド３１の回動が阻止されるので、チェンジスライド３１はペイアウトリンク４の移動に連動することなくその停止状態を維持し、このためチェンジスライド３１の先端３１ａが孔２２の底面内に侵入して当該孔２２の底面を閉塞し、当該孔２２内に収容された硬貨の落下を規制して、硬貨の払出を阻止する。
【００３９】
次に、図３で示す硬貨払出時にペイアウトリンク４のスライド移動に連動しチェンジスライド３１を回転させるチェンジスライド回動手段４０を詳述する。
【００４０】
このチェンジスライド回動手段４０は、チェンジスライド３１の底面斜視図で示す図５のように、チェンジスライド３１の底面３１ｃから突設され、周面が一部切り欠いた形状の回転軸３１ｄと、チェンジスライド３１の上面斜視図で示す図６のように、チェンジスライド３１の上面３１ｅであって、チェンジスライド３１の後端３１ｂ側から上方へ向け突設されたカム軸３１ｆと、ペイアウトリンク４の延長部分４ｅを拡大した概念斜視図で示す図７のように、チェンジスライド収納孔４ｆの底面４ｇに形成された軸受孔４ｈと、図１で示すように、前記チェンジスライド３１に突設されたカム軸３１ｆを案内する円弧状のカム溝４１とから構成されている。
【００４１】
このうち、円弧状のカム溝４１はペイアウトリンク４の上面を覆う後述する上カバーに形成されている。
【００４２】
なお、図５から明らかなように、軸３１ｄは二股に分岐された一対の軸部材３１ｇ、３１ｈの各先端により形成されており、このため軸３１ｄの径は一対の軸部材３１ｇ、３１ｈの先端間が弾発的に伸縮する範囲内で、その径を縮小することが可能である。また、図５で符号３１ｉは、チェンジスライド３１の底面３１ｃ側方から突設されたガイド壁である。
【００４３】
また図７で、符号４ｉは軸受孔４ｈの左側方に隣接して形成されたガイド溝で、このガイド溝４ｉは、図５で示す、チェンジスライド３１のガイド壁３１ｉを案内するものである。
【００４４】
また図７で符号４ｊ、４ｋは、図６で示すカム軸３１ｆを収容するカム軸収容溝であり、また図７で符号４ｍは、軸受孔４ｈへ向け図５に示す回転軸３１ｄが出没できるようにガイドするガイド溝である。
【００４５】
次に、上述したチェンジスライド回動手段４０の作用を詳述する。
【００４６】
図８は図１に示す硬貨払出装置３０の要部破断拡大底面図で、特にペイアウトリンク４、チェンジスライド５の各延長部分４ｅ、５ａを詳細に示したものである。
【００４７】
この図８に示すペイアウトリンク４の初期位置ではチェンジスライド３１の回転軸３１ｄがペイアウトリンク４のチェンジスライド収納孔４ｆ内に形成された前記軸受孔４ｈ内に嵌着している。
【００４８】
またチェンジスライド３１の上面から突設されたカム軸３１ｆは、ペイアウトリンク４の上面を覆う上カバー５０に形成された円弧形状のカム溝４１内に嵌挿し、さらに、このカム軸３１ｆにはチェンジソレノイド２３（図１）のチェンジレバー２３ａが係合している。
【００４９】
この図８に示すペイアウトリンク４の初期位置において、孔２２内に収容された大径の硬貨の非払出信号が図示せぬ制御装置から入力されると、その非払出信号に基き、図１に示すペイアウトカム２、３が矢印方向に一回転してペイアウトリンク４を介してペイアウトスライド５を矢印Ａ方向へ往復運動させるが、図８で示すように、チェンジスライド３１のカム軸３１ｆとチェンジレバー２３ａとの係合が維持されているので、チェンジスライド３１はペイアウトリンク４に連動して移動せず、その位置に停止した状態を維持する。
【００５０】
このように、チェンジスライド３１が停止した状態を維持したまま、ペイアウトリンク４が矢印Ａ方向に移動すると、図９で示すようにチェンジスライド３１の回転軸３１ｄが軸受孔４ｈ内から脱出すべく、その径を縮めてガイド溝４ｍ内に侵入し、同時にチェンジスライド３１のガイド壁３１ｉがペイアウトリンク４のガイド溝４ｉ内に嵌挿する。
【００５１】
そしてペイアウトリンク４が図９で示す矢印Ａ方向にさらに移動して、その復帰点に到達すると、図１０で示すように、チェンジスライド３１の回転軸３１ｄがペイアウトリンク４内から完全に脱出し、かつチェンジスライド３１のガイド壁３１ｉがペイアウトリンク４のガイド溝４ｉ内に嵌挿した状態となる。なお、図１０で示すように、チェンジスライド３１のガイド壁３１ｉがペイアウトリンク４のガイド溝４ｉ内に嵌挿した状態となるで、チェンジスライド３１の回転軸３１ｄがペイアウトリンク４内から完全に脱出した状態において、チェンジスライド３１がカム軸３１ｆを中心に左右方向へガタつくことはなく、その位置に停止した状態を維持することとなる。
【００５２】
この図１０に示すチェンジスライド３１の停止位置では、その先端３１ａが孔２２の底面内に完全に侵入し、当該孔２２の底面を閉塞するので、当該孔２２内に収容された硬貨の落下、即ち硬貨の払出が阻止されることとなる。なお、この図１０で示すチェンジスライド３１の位置決め態様は図４に示すチェンジスライド３１の位置決め態様に対応するものである。
【００５３】
なお、ペイアウトリンク４が図１０で示す位置から初期位置に復帰すると、同様にチェンジスライド３１も図８に示す初期位置に復帰する。
【００５４】
一方、上述した硬貨払出装置３０によると、図８に示すペイアウトリンク４の初期位置において、孔２２内に収容された大径の硬貨を一枚払い出す信号が図示せぬ制御装置から入力されると、その硬貨払出信号に基きチェンジスライド３１のカム軸３１ｆとチェンジレバー２３ａとの係合が解除される（図２）。
【００５５】
その後、図２に示すペイアウトカム２、３が矢印方向に一回転し、ペイアウトリンク４を介してペイアウトスライド５を矢印Ａ方向へ往復運動させる。
【００５６】
その際、ペイアウトリンク４が図１１で示すように、矢印Ａ方向へ若干移動すると、チェンジスライド３１はペイアウトリンク４の軸受孔４ｈに嵌挿した回転軸３１ｄを介し矢印Ａ方向へ押されるが、カム軸３１ｆとチェンジレバー２３ａとの係合が解除されているので、チェンジスライド３１の後端３１ｂは、カム軸３１ｆが嵌挿した円弧形状のカム溝４１に沿って図面右側へ移動し、同時にこの円弧形状のカム溝４１に沿っての移動に連動してチェンジスライド３１は軸受孔４ｈに嵌挿した回転軸３１ｄを中心に反時計方向への回転、即ち姿勢変更を開始する。
【００５７】
そしてさらに、ペイアウトリンク４が図１２で示すように、さに矢印Ａ方向へ移動すると、チェンジスライド３１は軸受孔４ｈに嵌挿した回転軸３１ｄを中心にさらに反時計方向への回転をおこなって、その回転姿勢を増し、当該チェンジスライド３１全体をその長手方向に沿ってペイアウトリンク４のチェンジスライド収納孔４ｆ内に突入させる。
【００５８】
そしてペイアウトリンク４が図１２で示す位置からさらに矢印Ａ方向へ移動して、その復帰点に到達すると、図１３で示すように、ガイド壁３１ｉを除くチェンジスライド３１全体がその長手方向に沿ってペイアウトリンク４のチェンジスライド収納孔４ｆ内に収納される。
【００５９】
この図１３に示すチェンジスライド３１の停止位置では、その全体が長手方向に沿ってペイアウトリンク４のチェンジスライド収納孔４ｋ内に収納されて、チェンジスライド５の孔２２の底面全体の開放を維持しているので、当該孔２２内に収容された硬貨は下方に落下して払出されることとなる。なお、この図１３で示すチェンジスライド３１の位置決め態様は図３に示すチェンジスライド３１の位置決め態様に対応するものである。
【００６０】
したがって、上述した硬貨払出装置３０によると、図３で示すように、硬貨払出時におけるチェンジスライド３１の往復移動距離を含め硬貨払出装置３０の正面から背面までの奥行方向の距離Ｍは、チェンジスライド３１そのものがペイアウトリンク４内に収納されることから、従来のものと比較して極めて短く、このため硬貨払出装置３０の奥行方向の長さを可及的に短くすることができることとなる。
【００６１】
なお、上記実施例では本願発明に関わる硬貨払出装置３０を、ペイアウトスライド５の孔２２内に収容された比較的大径の硬貨の払出、および非払出に適用したが、この発明は上記実施例に限定されることなく、ペイアウトスライド５に形成された他の各孔７、８、９、１０に収容される各硬貨の払出、および非払出に適用してもよく、この場合は、硬貨払出装置全体の奥行方向の長さを従来よりも一層短くすることができることとなる。
【００６２】
【発明の効果】
以上説明したように、この発明の硬貨払出装置では、硬貨の払出と非払出とを制御するチェンジスライドを、硬貨払出時に回転させてペイアウトリンクの内部に収納するようにしたため、チェンジスライドの硬貨払出時に必要なチェンジスライドの移動距離を極めて短く設定することが可能となり、このため硬貨払出装置の奥行方向の長さを極めて短く設定して硬貨払出装置をコンパクトにすることができる。
【００６３】
また硬貨払出装置をコンパクトにすることができるから、硬貨の径、および種類が異なる世界各国で適用する場合においても、その奥行き方向の基本的サイズを変更することなく数多くの種類の硬貨の払い出す機能を有する硬貨払出装置を提供することができる。
【図面の簡単な説明】
【図１】図１は、この発明に係わる硬貨払出装置の概念斜視図。
【図２】図２は、この発明に係わる硬貨払出装置の作用を示す概念斜視図。
【図３】図３は、この発明に係わる硬貨払出装置の作用を示す概念斜視図。
【図４】図４は、この発明に係わる硬貨払出装置の作用を示す概念斜視図。
【図５】図５はチェンジスライドの下面を示す概念斜視図。
【図６】図６はチェンジスライドの上面を示す概念斜視図。
【図７】図７はペイアウトリンクの延長部分を示す概念拡大斜視図。
【図８】図８はこの発明に係わる硬貨払出装置を底面側から見た図を示す要部破断底面図。
【図９】図９はこの発明に係わる硬貨払出装置の作用を示す要部破断底面図。
【図１０】図１０はこの発明に係わる硬貨払出装置の作用を示す要部破断底面図。
【図１１】図１１は、この発明に係わる硬貨払出装置の作用を示す要部破断底面図。
【図１２】図１２は、この発明に係わる硬貨払出装置の作用を示す要部破断底面図。
【図１３】図１３は、この発明に係わる硬貨払出装置の作用を示す要部破断底面図。
【図１４】図１４は従来の硬貨払出装置を示す概念斜視図。
【図１５】図１５は従来の硬貨払出装置の作用を示す概念斜視図。
【図１６】図１６は従来の硬貨払出装置の作用を示す概念斜視図。
【図１７】図１７は従来の硬貨払出装置を示す概念斜視図。
【図１８】図１８は従来の硬貨払出装置の作用を示す概念斜視図。
【図１９】図１９は従来の硬貨払出装置の作用を示す概念斜視図。
【符号の説明】
４…ペイアウトリンク
４ｆ…チェンジスライド収納孔
４ｈ…軸受孔
５…ペイアウトスライド
２２…硬貨収容孔
２３ａ…チェンジレバー
３０…硬貨払出装置
３１…チェンジスライド
３１ｄ…回転軸
３１ｆ…カム軸
４０…チェンジスライド回動手段
４１…円弧状のカム溝
５０…上カバー
【図１】
0003734068.tif 000002
【図２】
0003734068.tif 000003
【図３】
0003734068.tif 000004
【図４】
0003734068.tif 000005
【図５】
0003734068.tif 000006
【図６】
0003734068.tif 000007
【図７】
0003734068.tif 000008
【図８】
0003734068.tif 000009
【図９】
0003734068.tif 000010
【図１０】
0003734068.tif 000011
【図１１】
0003734068.tif 000012
【図１２】
0003734068.tif 000013
【図１３】
0003734068.tif 000014
【図１４】
0003734068.tif 000015
【図１５】
0003734068.tif 000016
【図１６】
0003734068.tif 000017
【図１７】
0003734068.tif 000018
【図１８】
0003734068.tif 000019
【図１９】
0003734068.tif 000020